(57)【要約】【課題】スポンジ内の水切りが悪く、保持具の壁側の面に菌が繁殖したり汚れが見えなかったり、補強のリブや網の格子は洗浄し難く、かつ保持具の本体部が取付具から外れ難かったりと不便で不衛生であったが、これらの問題を解決した保持具を提供する。【解決手段】本体部は、棒体で略Ｕ字状を形成し、前部、背部、底部に分かれ、前部と背部の一端は共に本体部の端部を設け、他端は共に底部の端に各々連結し、スポンジを本体部で挟持するため前部と背部の少なくとも片方に凸部を設けた、スポンジの保持具。【選択図】図１
2018007993.tif 000002
【特許請求の範囲】
【請求項１】
本体部は、棒体で略Ｕ字状を形成し、前部、背部、底部に分かれ、前部と背部の一端は共に本体部の端部を設け、他端は共に底部の端に各々連結し、前部と背部の少なくとも片方に凸部を設けた、スポンジの保持具。
【請求項２】
本体部はアクリル樹脂やポリスチレン樹脂等の熱変形温度が摂氏１００度以下の熱可塑性樹脂から成る、請求項１のスポンジの保持具。
【請求項３】
本体部はステンレス鋼や黄銅等の金属から成る、請求項１のスポンジの保持具。
【請求項４】
本体部の底部に背部とは逆方向に、棒体の支持部を突設した、請求項１、請求項２、請求項３のスポンジの保持具。
【請求項５】
本体部の背部または、底部の背部とは逆位置に、リング状またはＵ字状のフックを、フックの孔面が壁と対面する方向に設けた、請求項１、請求項２、請求項３のスポンジの保持具。
【請求項６】
壁や流し台のシンク等に係止する吸盤や磁石から成る吸着部と、本体部の背部や支持部を嵌着する、貫通孔または孔の中心軸と平行なスリットを形成する該貫通孔を設けた嵌着部が一体の、弾性体から成る取付具を係止した、請求項１、請求項２、請求項３、請求項４のスポンジの保持具。
【請求項７】
前記吸着部と、本体部のフックと嵌着する嵌着溝を筒部に設けた略円筒形または略長円筒形の嵌着部が一体の、弾性体から成る取付具を係止した、請求項５のスポンジの保持具。
【発明の詳細な説明】
【技術分野】
【０００１】  洗浄具スポンジの保持具に関するものである。
【背景技術】
【０００２】  従来の保持具は、スポンジを平置きする保持具が多く、スポンジ内の水切りが悪く衛生的でなかった。及び、面や網で構成され平滑でなく形状が複雑で洗浄し難く、裏面の汚れが見え難かった。
【先行技術文献】
【特許文献】
【０００３】
【特許文献１】  特開２００７−２８９６２６号公報
【発明の概要】
【発明が解決しようとする課題】
【０００４】  スポンジ内の水切りを改善した特許文献１に示される保持具が提供されているが、従来品は他にも保持具の壁側の面に菌が繁殖したり汚れが見えなかったり、補強のリブや網の格子は洗浄し難く、かつ保持具の本体部が取付具から外れ難かったりと不便で不衛生であった。本発明では形状寸法の異なるスポンジの多くを保持でき、スポンジを水切りが良い角度で挟持でき、スポンジとの接触面が面や網より少ないので乾燥が早く、かつ構造が簡単で全体の汚れが見え、保持具の本体部と取付具の着脱が容易で、洗浄性に優れた衛生的な保持具を提供する。
【課題を解決するための手段】
【０００５】  本発明の本体部は、棒体で略Ｕ字状を形成し、前部、背部、底部に分かれ、前部と背部の一端は共に本体部の端部を設け、他端は共に底部の端に各々連結し、スポンジを本体部で挟持するため前部と背部の少なくとも片方に凸部を設けた、スポンジの保持具。【０００６】  本体部はアクリル樹脂やポリスチレン樹脂等の熱変形温度が摂氏１００度以下の熱可塑性樹脂から成る、スポンジの保持具。【０００７】  本体部はステンレス鋼や黄銅等の金属から成る、スポンジの保持具。【０００８】  本体部の底部に背部とは逆方向に、棒体の支持部を突設した、スポンジの保持具。【０００９】  本体部の背部または、底部の背部とは逆位置に、リング状またはＵ字状のフックを、フックの孔面が壁と対面する方向に設けた、スポンジの保持具。【００１０】  壁や流し台のシンク等に係止する吸盤や磁石から成る吸着部と、本体部の背部や支持部を嵌着する、貫通孔または孔の中心軸と平行なスリットを形成する該貫通孔を設けた嵌着部が一体の、弾性体から成る取付具を係止した、スポンジの保持具。【００１１】  前記吸着部と、本体部のフックと嵌着する嵌着溝を筒部に設けた略円筒形または略長円筒形の嵌着部が一体の、弾性体から成る取付具を係止した、スポンジの保持具。
【発明の効果】
【００１２】  スポンジを本体部の凸部で挟持するのが特徴で、片手で挟入ができ、場所をとらず、挟持箇所の間隔を本体部の変形で適正化できるので形状寸法の異なるスポンジの多くを挟持でき、及びスポンジを水切りの良い角度で挟持でき、スポンジと保持具は点接触に近く接触面が少なく風通しが良いので乾燥が早く、かつ全体の汚れが一目で見え、構造が簡単で保持具の本体部と取付具の着脱が容易なので、本体部と取付具を簡単で確実に洗浄できるため、水垢や菌を激減できる衛生面で優れた保持具である。
【図面の簡単な説明】
【００１３】
【図１】  保持具にスポンジを挟持時の側面図
【図２】  保持具にスポンジを斜めに挟持時の正面図
【図３】  保持具の支持部を取付具が嵌着した時の側面図
【図４】  保持具の背部をスリット付嵌着部の取付具が嵌着した時の側面図
【図５】  図４のイ−イ断面図
【図６】  保持具のフックを取付具の嵌着溝に嵌着前の斜視図
【発明を実施するための形態】
【００１４】  以下、本発明の実施の形態を説明する。
本体部（１）は、棒体で略Ｕ字状を形成し、前部（１１）、背部（１３）、底部（１２）に分かれ、前部（１１）と背部（１３）の一端は共に本体部（１）の端部（１４）を設け、他端は共に底部（１２）の端に各々連結し、スポンジ（Ｓ）を本体部（１）で挟持するため前部（１１）と背部（１３）の少なくとも片方に凸部（１５）を設け前部（１１）と背部（１３）が近接する構造が特徴の、スポンジ（Ｓ）の保持具。
【００１５】  本体部（１）は、アクリル樹脂やポリスチレン樹脂等の熱変形温度が摂氏１００度以下の熱可塑性樹脂から成る、スポンジ（Ｓ）の保持具。
使用するときには、形状寸法の異なるスポンジ（Ｓ）の多くを挟持するため、本体部（１）の主に底部（１２）を熱変形温度以上の熱湯に１分ほど浸し軟化させ、両端部（１４）を指で摘み開閉し、本体部（１）の凸部（１５）の前部（１１）と背部（１３）の間隔をスポンジ（Ｓ）の厚みより適度に狭く曲成後、冷却し固化する。普通に注意すれば安全に容易に繰り返し調整できる。
【００１６】  本体部（１）をステンレス鋼や黄銅等の金属から成る、スポンジの保持具。
使用するときには、形状寸法の異なるスポンジ（Ｓ）の多くを挟持するため、本体部（１）の両端部（１４）を人力で開閉し主に底部（１２）を曲げ、本体部（１）の凸部（１５）の前部（１１）と背部（１３）の間隔をスポンジ（Ｓ）の厚みより適度に狭く塑性変形させ固定する。本体部（１）の形状寸法、材質等を適正化すると容易に繰り返し調整できる。
【００１７】  取付具（２）と嵌着するため、本体部（１）の底部（１２）に背部（１３）とは逆方向に、棒体の支持部（１６）を突設した、スポンジ（Ｓ）の保持具。
【００１８】  取付具（２）と嵌着するため、本体部（１）の背部（１３）、または底部（１２）の背部（１３）とは逆位置に、リング状またはＵ字状のフック（１７）を、フック（１７）の穴面が壁（Ｗ）と対面する方向に設けた、スポンジの保持具。
【００１９】  壁や流し台のシンク（Ｗ）等に係止する吸盤や磁石から成る吸着部（２１）と、本体部（１）の背部（１３）や支持部（１６）を嵌着する、貫通孔または孔の中心軸と平行なスリット（２３）を形成する該貫通孔を設けた嵌着部（２２）が一体の、弾性体から成る取付具（２）を係止した、スポンジの保持具。
【００２０】  前記吸着部（２１）と、本体部（１）のフック（１７）と嵌着する嵌着溝（２４）を、筒部に設けた略円筒形または略長円筒形の嵌着部（２２）が一体の、弾性体から成る取付具（２）を係止した、スポンジの保持具。
【符号の説明】
【００２１】  １  本体部、    ２  取付具、    １１  前部、    １２  底部、    １３  背部、
１４  端部、    １５  凸部、    １６  支持部、    １７  フック、
２１  吸着部、    ２２  嵌着部、    ２３  スリット、    ２４  嵌着溝、
Ｓ  スポンジ、    Ｗ  壁や流し台のシンク（壁）
【図１】
2018007993.tif 000003
【図２】
2018007993.tif 000004
【図３】
2018007993.tif 000005
【図４】
2018007993.tif 000006
【図５】
2018007993.tif 000007
【図６】
2018007993.tif 000008